【手続補正書】
【提出日】令和2年6月19日(2020.6.19)
【手続補正１】
【補正対象書類名】明細書
【補正対象項目名】００１５
【補正方法】変更
【補正の内容】
【００１５】
【図１】本発明に係る開閉体開閉装置の斜視図である。
【図２】本発明に係る開閉体開閉装置の平面図である。
【図３】本発明に係る開閉体開閉装置の分解斜視図である。
【図４】本発明に係る開閉体開閉装置の取付部材を下側から見た斜視図である。
【図５】本発明に係る開閉体開閉装置のスプリングホルダーを示し、（ａ）はその後側から見た斜視図、（ｂ）はその内部構造を示す断面図である。
【図６】本発明に係る開閉体開閉装置のスライダーを示し、（ａ）はその後側から斜視図、（ｂ）はその下側から見た斜視図、（ｃ）はその内部構造を示す断面図である。
【図７】本発明に係る開閉体開閉装置の回転部材を示し、（ａ）はその前側から見た斜視図、（ｂ）はその後側から見た斜視図、（ｃ）はその中央部の縦断面図である。
【図８】本発明に係る開閉体開閉装置のトルクピーク調整手段の部分の拡大斜視図である。
【図９】本発明に係る開閉体開閉装置のトルクピーク調整手段の部分の分解斜視図である。
【図１０】本発明に係る開閉体開閉装置のトルクピーク調整手段の部分の第１部材を示し、（ａ）はその斜視図、（ｂ）はその平面図である。
【図１１】本発明に係る開閉体開閉装置のトルクピーク調整手段の部分の調整部材を示し、（ａ）はその斜視図、（ｂ）はその平面図である。
【図１２】本発明に係る開閉体開閉装置の動作を説明するためのもので、開閉体を被開閉体に対し閉じた際の開閉部材の開閉角度０度の状態を示し、（ａ）メイン弾性部材の部分、（ｂ）は流体ダンパーの部分、（ｃ）はリンクアームの部分を示している。
【図１３】本発明に係る開閉体開閉装置の動作を説明するためのもので、図１２に示した状態から開閉部材を３０度開いた状態を示し、（ａ）メイン弾性部材の部分、（ｂ）は流体ダンパーの部分、（ｃ）はリンクアームの部分を示している
【図１４】本発明に係る開閉体開閉装置の動作を説明するためのもので、図１２に示した状態から開閉部材を６０度開いた状態を示し、（ａ）メイン弾性部材の部分、（ｂ）は流体ダンパーの部分、（ｃ）はリンクアームの部分を示している。
【図１５】本発明に係る開閉体開閉装置の動作を説明するためのもので、図１２の状態から開閉部材を１００度開いた状態を示し、（ａ）メイン弾性部材の部分、（ｂ）は流体ダンパーの部分、（ｃ）はリンクアームの部分を示している。
【図１６】本発明に係る開閉体開閉装置のトルクピーク調整手段の動作を説明するためのもので、（ａ）はトルクピーク調節角度０度の状態を示し、（ｂ）はトルクピーク調節角度プラス１０度に調節した状態を示し、（ｃ）はトルクピーク調節角度マイナス１０度に調節した状態を示している。
【図１７】本発明に係る開閉体開閉装置のヒンジトルク曲線と開閉体のモーメント曲線の相関関係を示すグラフである。
【手続補正２】
【補正対象書類名】明細書
【補正対象項目名】００２３
【補正方法】変更
【補正の内容】
【００２３】
スプリングホルダー１１は、とくに図５に示したように、取付部材５内部の前板５ｄ側に収容されており、取付部材５の背板５ａと両側板５ｂ、５ｂと底板５ｅとに囲まれている。このスプリングホルダー１１は、また一端部側に凸部１１ａを設けたもので、略中央部に仕切壁１１ｂが設けられると共に、この仕切壁１１ｂを挟んでスライダー１２側に一対の第１スプリング収容孔１１ｃ、１１ｃが、取付部材５の前板５ｄ側に同じく一対のロック部材収容孔１１ｄ、１１ｄが互いに端部を解放させて形成されると共に、その中央部には仕切壁１１ｂで仕切られることなく、ダンパー収容孔１１ｅが取付部材５の前板５ｄ側を解放させて設けられている。
【手続補正３】
【補正対象書類名】明細書
【補正対象項目名】００２５
【補正方法】変更
【補正の内容】
【００２５】
スプリングホルダー１１の各ロック部材収容孔１１ｄ、１１ｄには、それぞれ例えば圧縮コイルスプリングから成るサブ弾性部材１４、１４と共にロック部材１５、１５が収容されており、組立後にその先端部に設けた凸部１５ａ、１５ａを取付部材５の前板５ｄに設けたロック部材挿通孔５ｈ、５ｈより凸部１５ａ、１５ａを突出させ、回転部材１０と圧接させる構成である。取付部材５の前板５ｄにロック部材挿通孔５ｈ、５ｈの間に設けたピストン杆挿通孔５ｉからは、流体ダンパー１６のピストン杆１６ａに被せたキャップ１６ｂの凸部１６ｃが突出し、同じく組立時に回転部材１０の第１カム部１０ｅ、１０ｅと圧接する構成である。尚、このキャップ１６ｂはスプリングホルダー１１に設けたダンパー収容孔１１ｅ内に収容されている。
【手続補正４】
【補正対象書類名】明細書
【補正対象項目名】００４０
【補正方法】変更
【補正の内容】
【００４０】
次に、トルクピーク調整手段Ｂによる開閉体３のトルクピークの調整は、調整部材２３を左右いずれかの方向へ回転させることによってなされる。即ち、図１６に示したように、開閉部材８の開閉角度０度、しかして開閉体３を閉じた状態において、第２部材２５、２５の尖頭突起部２５ｃ、２５ｃは、角度目印８ｉの真ん中のものを指している。この状態から調節部材２３を左右いずれか方向へ回すと、第１リンク部材２１の第１部材２４がスライドピン２６、２６にガイドされて開閉部材８に対してその前後方向へスライドする。すると第１リンクシャフト１９が第２部材２５、２５を介して開閉部材８の両側板８ｂ、８ｂに設けたガイド縦長孔８ｇ、８ｇ内を案内されて上下方向へ第２リンクシャフト２０を支点に旋回することになる。そうすると、開閉部材８を介しての開閉体３の開成角度０度からの開成開始位置に変動が生じ、開閉体開閉装置４のヒンジトルクのトルクピークを角度目印８ｉの中央部のものである０度を指している時のトルクピーク６０度とした場合、第１リンクシャフト１９が開閉部材８のガイド縦長孔８ｇ、８ｇの下側にある時は、図１６に示したように、トルクピークは基準時に比べて上側に移動する。第１リンクシャフト１９がガイド縦長孔８ｇ、８ｇの上側にある時には、トルクピークは基準時に比べて下側に移動することになる。
【手続補正５】
【補正対象書類名】明細書
【補正対象項目名】００４１
【補正方法】変更
【補正の内容】
【００４１】
実施例では、トルクピーク角度を標準で６０度とした場合には、図１６に示したように、マイナス１０度の５０度とプラス１０度の７０度の範囲でトルクピークを調整できるように構成されている。図１７によれば、図中Ｍ１で示した曲線が開閉体３のモーメント曲線であり、曲線Ｎ１で示したものが、開閉体開閉装置４の基準トルク曲線である。図面によれば、この場合のトルクピークは６０度である。曲線Ｎ２は第１リンクシャフト１９の位置が開閉部材８のガイド縦長孔８ｇ、８ｇの下側にある場合を示し、この場合のトルクピークは５０度である、さらに曲線Ｎ３で示したものは、第１リンクシャフト１９が開閉部材８のガイド縦長孔８ｇ、８ｇの上側にある時のトルク曲線を示し、この場合のトルクピークは７０度となる。このように本発明に係る開閉体開閉装置４のトルクピークは、６０度を基準とし、５０度から７０度の範囲で調節できる。
【手続補正６】
【補正対象書類名】明細書
【補正対象項目名】００４２
【補正方法】変更
【補正の内容】
【００４２】
次に、ロック手段Ａ１の動作について説明する。このロック手段Ａ１は、回転部材１０に設けた第１ロック凹部１０ｃ、１０ｃと及び第２ロック凹部１０ｄ、１０ｄとスプリングホルダー内にスライド可能に設けたロック部材１５、１５とサブ弾性部材１４、１４とで構成されており、実施例では開閉部材８の開閉角度０度において、取付部材５の前板５ｄに設けたロック部材挿通孔５ｈ、５ｈから突出しているロック部材１５、１５の凸部１５ａ、１５ａが、第１ロック凹部１０ｃ、１０ｃ内に嵌まり込み、開閉部材８は開閉角度０度においてロックされ、開閉角度１００度においてロック部材１５、１５の凸部１５ａ、１５ａが第２ロック凹部１０ｄ、１０ｄ内に嵌まり込んでロックされることによって、開閉角度１００において安定保持される。尚、第１ロック凹部１０ｃ、１０ｃ及び第２ロック凹部１０ｄ、１０ｄの設置位置と数は、実施例のものに限定されない。必要に応じてその設置位置と数を変更或は増減できるものである。
【手続補正７】
【補正対象書類名】特許請求の範囲
【補正対象項目名】請求項４
【補正方法】変更
【補正の内容】
【請求項４】
前記回転トルク制御手段は、前記スライダーと前記回転部材の間に、前記開閉部材の閉成方向の所定回転角度からピストン杆の先端側を当該回転部材に設けた第２カム部に圧接させる流体ダンパーから成る緩衝手段を有することを特徴とする、請求項１に記載の開閉体の開閉装置。